(57)【要約】【課題】水路の底部付近の処理水であっても、所定の開口率にてその流れをコントロールすることができて、処理効率の向上した各落し構造を提供する。【解決手段】水路を堰止める角落し構造１であって、該水路Ｓの堰止め部分の水路幅方向の相対する側壁及び底壁にガイド溝１１が設けられ、該ガイド溝１１に、水路幅方向に沿って複数の直方体からなる角落し１２がその長手方向を直立するようにして並設され、それらの角落し１２の上端部が横架材１３に係止自在とされている。【選択図】  図１
2004238946.tif 000002
【特許請求の範囲】
【請求項１】
水路を堰止める角落し構造であって、該水路の堰止め部分の水路幅方向の相対する側壁及び底壁にガイド溝が設けられ、該ガイド溝に、水路幅方向に沿って複数の直方体からなる角落しがその長手方向を直立するようにして並設され、それらの角落しの上端部が横架材に係止自在とされていることを特徴とする角落し構造。
【請求項２】
前記横架材が水路躯体に固定自在とされていることを特徴とする請求項１に記載の角落し構造。
【請求項３】
水路を堰止める角落し構造であって、該水路の堰止め部分の水路幅方向の相対する側壁及び底壁にガイド溝が設けられ、該ガイド溝に、上方が開放する略コ字状の枠体が配設固定自在とされ、該枠体に水路幅方向に沿って複数の直方体からなる角落しがその長手方向を直立するようにして並設され、それらの角落しの上端部が前記枠体に係止自在とされていることを特徴とする角落し構造。
【請求項４】
前記枠体内で最も側方に位置する少なくとも一方の角落しと前記枠体との間にくさびが打込み自在とされていることを特徴とする請求項３に記載の角落し構造。
【発明の詳細な説明】
【０００１】
【発明の属する技術分野】
本発明は、下水道施設や農業用水路施設等の水路の水量調整を行ったり、堰止めたりする角落し構造に関するものである。
【０００２】
【従来の技術】
下水道施設、農業用水路施設及び栽培漁業施設等の水路を堰止めたり、水量調整を行うために、水路の必要とする箇所に複数の角落しを所要高さに積み重ねる角落し構造を設置している。
【０００３】
従来の角落し構造としては、例えば、図５にも示すように、水路の相対する壁面に設けたガイド溝ｂに、複数の角落しａを水平状態となして両端を挿入するようにして下から順次積み重ねて所定高さとなし、それらの角落しａを補強枠体ｃで保持するようにして、遮水壁を形成するような構造となっている（特許文献１参照）。
【０００４】
しかしながら、このような従来の角落し構造では、水量調整を行う場合には、積み重ねた複数の角落しａの上段側の数段のみを取り外すようにして調整することとなるので、水路の底部付近の処理水は常に滞留してその流れをコントロールすることができず、処理効率を改善することができないという問題点がある。
【０００５】
【特許文献１】
特開平１１−１６６２２５号公報
【０００６】
【発明が解決しようとする課題】
本発明は、上記のような従来の問題点を解消し、水路の底部付近の処理水であっても、所定の開口率にてその流れをコントロールすることができて、処理効率の向上した角落し構造を提供することを目的としてなされたものである。
【０００７】
【課題を解決するための手段】
本願の請求項１に記載の発明は、水路を堰止める角落し構造であって、該水路の堰止め部分の水路幅方向の相対する側壁及び底壁にガイド溝が設けられ、該ガイド溝に、水路幅方向に沿って複数の直方体からなる角落しがその長手方向を直立するようにして並設され、それらの角落しの上端部が横架材に係止自在とされている角落し構造である。
【０００８】
本願の請求項２に記載の発明は、前記横架材が水路躯体に固定自在とされている請求項１に記載の角落し構造である。
【０００９】
本願の請求項３に記載の発明は、水路を堰止める角落し構造であって、該水路の堰止め部分の水路幅方向の相対する側壁及び底壁にガイド溝が設けられ、該ガイド溝に、上方が開放する略コ字状の枠体が配設固定自在とされ、該枠体に水路幅方向に沿って複数の直方体からなる角落しがその長手方向を直立するようにして並設され、それらの角落しの上端部が前記枠体に係止自在とされている角落し構造である。
【００１０】
本願の請求項４に記載の発明は、前記枠体内で少なくとも一側部となる角落しと前記枠体との間にくさびが打込み自在とされている請求項３に記載の角落し構造である。
【００１１】
【作用】
本願の請求項１に係る発明の角落し構造は、水路を堰止める角落し構造であって、該水路の堰止め部分の水路幅方向の相対する側壁及び底壁にガイド溝が設けられ、該ガイド溝に、水路幅方向に沿って複数の直方体からなる角落しがその長手方向を直立するようにして並設され、それらの角落しの上端部が横架材に係止自在とされていることにより、ガイド溝にその幅方向に沿って複数の角落しを長手方向を直立するように並設して所定高さとなし、それらの角落しを横架材に係止するようにして水路を堰止めることができ、また、水路を堰止めた状態から、流下させる処理水の水量調整を行うときには、流下させる処理水の水量に応じて、各角落しを、横架材との浮上防止ピンを外し、必要な枚数だけ一側方から順番に上方に引き抜いて、所定の開口率にて水路の底部付近の処理水の流れをコントロールすることができるので、処理効率を向上させることができる。
【００１２】
本願の請求項２に係る発明の角落し構造は、前記横架材が水路躯体に固定自在とされていることにより、各角落しが浮き上がらないように水路を堰止めることができる。
【００１３】
本願の請求項３に係る発明の角落し構造は、水路を堰止める角落し構造であって、該水路の堰止め部分の水路幅方向の相対する側壁及び底壁にガイド溝が設けられ、該ガイド溝に、上方が開放する略コ字状の枠体が配設固定自在とされ、該枠体に水路幅方向に沿って複数の直方体からなる角落しがその長手方向を直立するようにして並設され、それらの角落しの上端部が前記枠体に係止自在とされていることにより、枠体内にその幅方向に沿って複数の角落しを長手方向を直立するように並設して所定高さとなし、それらの角落しを係止するようにして水路を堰止めることができ、また、水路を堰止めた状態から、流下させる処理水の水量調整を行うときには、流下させる処理水の水量に応じて、各角落しを、横架材との浮上防止ピンを外し、必要な枚数だけ一側方から順番に上方に引き抜いて、所定の開口率にて水路の底部付近の処理水の流れをコントロールすることができるので、処理効率を向上させることができるとともに、枠体の固定状態を外して、枠体ごと上方に引き上げるようにして、短時間にて水路の大きな開口を確保することもできる。
【００１４】
本願の請求項４に係る発明の角落し構造は、前記枠体内で最も側方に位置する少なくとも一方の角落しと前記枠体との間にくさびが打込み自在とされていることにより、くさびを打ち込んで枠体内を各角落しを隙間なく密閉するようにして水路を完全に閉塞することができる。
【００１５】
【発明の実施の形態】
以下、本発明の実施の形態を図面を参照して説明する。
図１は、本発明の角落し構造の一例を示す説明図である。
図１に示すように、この角落し構造１は、水路Ｓの堰止め部分に設けられたガイド溝１１と複数の直方体からなる角落し１２と横架材１３とからなる。
ガイド溝１１は、水路Ｓの堰止め部分の水路幅方向の相対する側壁及び底壁に設けられている。
【００１６】
角落し１２は、直方体からなり、隣接する角落しと相対する面となる一側面に長手方向に沿って凸条１２１が設けられ、他側面に長手方向に沿って凹溝１２２が設けられており、上端部に前側面から後側面に貫通する浮上防止ピン挿通孔が設けられている。
角落し１２としては、金属製、天然木材製、合成木材製、合成樹脂製等の種々の材料からなるものを採用することができるが、耐蝕性に優れた材料を採用するのが好ましい。耐蝕性に優れた材料としては、例えば、硬質の発泡体となる樹脂をガラス長繊維で補強した発泡体（例えば、積水化学工業株式会社製、商品名「エスロンネオランバーＦＦＵ」）等が挙げられる。
【００１７】
硬質の発泡体となる樹脂としては、例えば、硬質ウレタン樹脂等が好適に使用される。樹脂を補強する繊維としては、ガラス繊維の他に、炭素繊維、金属繊維、セラミック繊維等の無機質繊維や芳香族ポリアミド繊維等の有機繊維等が挙げられる。繊維の形態は、ヤーン、クロス、ロービング、ロービングクロス、クロスマット等の長繊維が好適であるが、必要に応じてチップやミドルファイバー等の短繊維やシラスバルーン等の中空充填材を併用することもできる。
【００１８】
水路Ｓのガイド溝１１に、水路幅方向に沿って、複数の角落し１２がその長手方向を直立するようにして並設されている。最も側方となる２本の角落し１２は、それぞれその外側部が、水路Ｓの側壁に設けられたガイド溝１１に係止されている。各角落し１２の下端部は、水路Ｓの底壁に設けられたガイド溝１１に係止されている。
【００１９】
横架材１３は、水路Ｓの堰止め部分上に掛け渡されて、水路躯体にボルトにて固定自在とされている。
各角落し１２の上端部は、水路躯体Ｓに両端部がボルトにて固定された横架材１３に、浮上防止ピン１４にて浮き上がらないように係止できるようになっている。また、各角落し１２は、横架材１３との浮上防止ピン１４を外して、一側方から順番に上方に引き抜くことができるようになっている。
【００２０】
そして、この角落し装置１において、水路を堰止めた状態から、流下させる処理水の水量調整を行うときには、流下させる処理水の水量に応じて、各角落し１２を、横架材１３との浮上防止ピン１４を外して、必要な枚数だけ一側方から順番に上方に引き抜く。これにより、水路の底部付近の処理水であっても、所定の開口率にてその流れをコントロールすることができるので、処理効率を向上させることができる。
【００２１】
図２は、本発明の角落し構造の別の例を示す説明図である。
図２に示すように、この角落し構造２は、受け材２１と複数の直方体からなる角落し２２と横架材２３とからなる。
この角落し構造２は、隧道をなすように天井部で上方が閉塞された状態の水路Ｓの堰止め部分の水路幅方向の相対する側壁及び底壁に、ガイド溝２１が設けられており、そのガイド溝２１に、水路幅方向に沿って、複数の角落し２２がその長手方向を直立するようにして並設されている。最も側方となる２本の角落し１２は、それぞれその外側部が、水路Ｓの側壁に設けられたガイド溝１１に係止されている。各角落し１２の下端部は、シール材２５を介するようにして水路Ｓの底壁に設けられたガイド溝１１に係止されている。
それ以外の構造は、図１を参照して説明したものと同じであるので、対応する図番を付してその詳細な説明は省略する。
【００２２】
そして、この角落し装置２において、水路を堰止めた状態から、流下させる処理水の水量調整を行うときには、流下させる処理水の水量に応じて、各角落し２２を、横架材２３との浮上防止ピン２４を外して、必要な枚数だけ一側方から順番に上方に引き抜く。これにより、水路の底部付近の処理水であっても、所定の開口率にてその流れをコントロールすることができるので、処理効率を向上させることができる。
【００２３】
図３は、本発明の角落し構造の別の例を示す説明図である。
図３に示すように、この角落し構造３は、受け材３１と複数の直方体からなる角落し３２と横架材３３とからなる。
この角落し構造３は、最も側方となる２本の角落し３２は、それぞれその外側部が、水路Ｓの側壁に設けられたガイド溝１１にシール材３５を介するようにして係止されており、且つ、各角落し３２の上端部及び下端部が、シール材３５を介するようにして水路Ｓの底壁に設けられたガイド溝３１に係止されている。
それ以外の構造は、図２を参照して説明したものと同じであるので、対応する図番を付してその詳細な説明は省略する。
【００２４】
そして、この角落し装置３において、水路を堰止めた状態から、流下させる処理水の水量調整を行うときには、流下させる処理水の水量に応じて、各角落し３２を、横架材３３との浮上防止ピン３４を外して、必要な枚数だけ一側方から順番に上方に引き抜く。これにより、水路の底部付近の処理水であっても、所定の開口率にてその流れをコントロールすることができるので、処理効率を向上させることができる。
【００２５】
図４は、本発明の角落し構造の別の例を示す説明図である。
図４に示すように、この角落し構造４は、受け材４１と複数の直方体からなる角落し４２と横架材４３と枠体４５とくさび４６とからなる。
【００２６】
図４に示すように、この角落し構造４は、隧道をなすように天井部で上方が閉塞された状態の水路Ｓの堰止め部分には、ピットＰが設けられ、ピットＰの下方の水路幅方向の相対する側壁及び底壁に、ガイド溝４１が設けられている。
【００２７】
そのガイド溝４１には、枠体４５が装着されている。
枠体４５は、上方が開放する略コ字状の形状を有していて、相対する枠板部４５１，４５１と相対する枠板部４５１，４５１を連結する横板部４５３，４５３と、枠板部４５１，４５１の底部間を連結する底板部４５２とからなる。枠板部４５１，４５１の上端部及び横板部４５３，４５３は、ピットＰにシール材４７を介してアングルＡにて固定できるようになっている。
【００２８】
枠板４５の高さ方向の中間部及び上部には、横板部４５３，４５３を配設して、枠板４５を一体構造にしている。この枠板４５の構造より、角落し４２とくさび４６を打ち込むことでシール性が確保できる。
【００２９】
枠体４５は、枠板部４５１，４５１の水路Ｓに対応する部分が開口されており、少なくとも、水路Ｓの周囲のガイド溝４１に対応する枠を形成する枠板部４５１，４５１及び底板部４５２の部分がガイド溝４１の壁面にシール材４７を介して当接するようになっている。尚、枠板部４５１，４５１は、隧道をなすように天井部に対応する部分の中央部も開口されている。
【００３０】
枠体４５の底板部４５２には、その上面の長手方向に沿って、後述する各角落とし４２の下端部が係止される凹溝４５２ａが設けられており、その凹溝４５２ａの一側面が下方に向かうにつれて次第に狭まるような傾斜面４５２ｂとされている。
【００３１】
角落し４２は、直方体からなり、隣接する角落しと相対する面となる一側面に長手方向に沿って凸条４２１が設けられ、他側面に長手方向に沿って凹溝４２２が設けられており、上端部に前側面から後側面に貫通する浮上防止ピン挿通孔が設けられている。角落し４２はその下端部の、上記枠体４５の傾斜面４５２ｂに対応する部分に、下端に向かうにつれて次第に薄厚となるような傾斜面４２ｂが設けられている。
４６はくさびであって、隣接する角落し４２と相対する面となる一側面に、その角落し４２の他側面に設けられた凹溝４２２に嵌合する凸条４６１が長手方向に沿って設けられている。
【００３２】
枠体４５内に、水路幅方向に沿って、複数の角落し４２がその長手方向を直立するようにして並設されている。最も側方となる２本の角落し４２は、それぞれその外側部が、枠体４５の枠板部４５１，４５１に係止されている。各角落し４２の下端部は、枠体４５の底板部４５２の凹溝４５２ａに、その傾斜面４５２ｂ，４２ｂ同士を摺動させるようにして、シール材４８を介して係止されている。また、枠体４５内で最も側方に位置する少なくとも一方の角落し４２と隣接する枠体４５の枠部材４５１との間にくさび４６を打ち込むようにして、枠体４５内に各角落し４２を隙間なく閉塞することができるようになっている。
このシール材４８は、角落し４２の所定位置に貼り付けても良く、また枠体４５のガイド溝４１の下流側内面に貼り付けても良い。
【００３３】
各角落し４２の上端部は、枠体４５の枠板部４５１，４５１の上端部及びピットＰに固定されたアングルＡに、浮上防止ピン４４にて浮き上がらないように係止できるようになっている。また、各角落し４２は、浮上防止ピン４４を外して、くさび４６を抜き取り、一側方から順番に上方に引き抜くことができるようになっている。
角落し４２の材質としては、図１を参照して説明した角落し１２と同様のものが採用できる。
また、枠体４５の材質としては、角落し４２と同材質で良く、また、金属製、ＦＲＰなどの合成樹脂製でも良い。
【００３４】
そして、この角落し装置４において、水路を堰止めた状態から、流下させる処理水の水量調整を行うときには、流下させる処理水の水量に応じて、各角落し４２を、浮上防止ピン４４を外して、くさび４５を抜き取り、必要な枚数だけ一側方から順番に上方に引き抜く。これにより、水路の底部付近の処理水であっても、所定の開口率にてその流れをコントロールすることができるので、処理効率を向上させることができる。
また、枠体４５の固定状態を外して、各角落し４２を固定した状態にて、枠体４５ごと上方に引き上げるようにして、短時間にて水路Ｓの大きな開口を確保することもできる。
【００３５】
【発明の効果】
本発明の角落し構造は、上記のとおりの構成とされているので、水路の底部付近の処理水であっても、所定の開口率にてその流れをコントロールすることができて、処理効率を向上させることができる。
【図面の簡単な説明】
【図１】本発明の角落し構造の一例を示す説明図であり、（ａ）はその正面図、（ｂ）はそのＩ−Ｉ線に沿う断面図、（ｃ）はその平面図である。
【図２】本発明の角落し構造の別の例を示す説明図であり、（ａ）はその正面図、（ｂ）はそのＩＩ−ＩＩ線に沿う断面図、（ｃ）はその平面図である。
【図３】本発明の角落し構造の更に別の例を示す説明図であり、（ａ）はその正面図、（ｂ）はそのＩＩＩ−ＩＩＩ線に沿う断面図、（ｃ）はその平面図である。
【図４】本発明の角落し構造の更に別の例を示す説明図であり、（ａ）はその正面図、（ｂ）はそのＩＶ−ＩＶ線に沿う断面図、（ｃ）はその平面図である。
【図５】従来の角落し構造の一例を示す正面図である。
【符号の説明】
１，２，３，４  角落し構造
１１，２１，３１，４１  ガイド溝
１２，２２，３２，４２  角落し
１３，２３，３３  横架材
１４，２４，３４，４４  浮上防止ピン
４５  枠体
４６  くさび
２５，３５，４７，４８  シール材
Ａ  アングル
Ｐ  ピット
Ｓ  水路
【図１】
2004238946.tif 000003
【図２】
2004238946.tif 000004
【図３】
2004238946.tif 000005
【図４】
2004238946.tif 000006
【図５】
2004238946.tif 000007